(57)【要約】      （修正有）【課題】血液を稀釈する効果を奏し、新陳代謝を加速させ、中医の治療方法と結合して総合効果をよくする電磁治療装置を提供する。【解決手段】昇降構造１を備えたフレームには、軸受で取り付けた上部磁気ヘッド１３が設けられ、治療用ベッド４内には、下部磁気ヘッド５が設けられている。下部磁気ヘッドには、回転動力装置が１つずつ設けられ、別々に回転し、磁石作用力により対向する上部磁気ヘッドを回転させる。治療用ベッド上には治療用服１２が設けられ、治療用服は、循環用ポンプ９を通して治療用液体が入った治療用液体容器８に連結されている。治療用服内には、発熱用トルマリン磁石又は金属塊が設けられている。治療用ベッド内には、高周波誘導加熱コイルが設けられ、高周波電源７に連結されている。治療用液体は、基礎液体と中薬添加剤を含み、基礎液体は、グリセロールとオリーブオイルを含み、グリセロールとオリーブオイルの質量比が１：１〜１：３である。【選択図】図１
0003194190.tif 000002
【実用新案登録請求の範囲】
【請求項１】
フレームと治療用ベッドを含む電磁治療装置において、
フレームには、軸受を通じて一個以上の上部磁気ヘッドが設けられ、治療用ベッド内には、一個以上の下部磁気ヘッドが設けられ、各下部磁気ヘッドには、回転動力装置が１つずつ設けられ、各下部磁気ヘッドは、回転動力装置の駆動により別々に回転することができ、
下部磁気ヘッドと上部磁気ヘッドは垂直方向でそれぞれ対応し、かつ対向するように設けられ、
回転動力装置の駆動により下部磁気ヘッドが回転し、該下部磁気ヘッドは、磁石作用力により対向の上部磁気ヘッドを回転させ、
治療用ベッド上には治療用服が設けられ、治療用服の開口には防水密閉構造が設けられ、治療用服は、循環用ポンプを通して治療用液体容器に連結され、治療用液体容器には、治療用液体が入っており、
治療用服内にはクッションが設けられ、治療用服とクッションとの間には、発熱用トルマリン磁石又は金属塊が設けられていることを特徴とする電磁治療装置。
【請求項２】
治療用ベッド内には、高周波誘導加熱コイルが設けられ、該高周波誘導加熱コイルは、高周波電源に連結されていることを特徴とする請求項１に記載の電磁治療装置。
【請求項３】
上部磁気ヘッドと下部磁気ヘッドはいずれも電磁石ヘッドを採用し、磁気ヘッドの周辺には冷却装置が設けられ、電磁石ヘッドが作動するときに生成する電磁波の誘導起電力は５００〜１０００ｍｖであり、周波数は８〜２０Ｈｚであり、上部磁気ヘッドと下部磁気ヘッドは、二組以上の電磁石塊から組合せられ、かつ各組の電磁石塊の間には、隙間が形成されていることを特徴とする請求項２に記載の電磁治療装置。
【請求項４】
上部磁気ヘッドと下部磁気ヘッドは、永久磁石ヘッドを採用し、上部磁気ヘッドと下部磁気ヘッドは、二組以上の永久磁石塊から組合せられ、かつ各組の永久磁石塊の間には、隙間が形成されていることを特徴とする請求項２に記載の電磁治療装置。
【請求項５】
上部磁気ヘッドと下部磁気ヘッドの静態の磁場の強さが５０００〜８５００ガウスであることを特徴とする請求項３又は４に記載の電磁治療装置。
【請求項６】
下部磁気ヘッドの回転速度が５０〜６００回転／分であり、上部磁気ヘッドと下部磁気ヘッドとの間の距離が２００〜４００ｍｍであることを特徴とする請求項５に記載の電磁治療装置。
【請求項７】
上部磁気ヘッドと下部磁気ヘッドはいずれも円盤形に形成され、各磁気ヘッドの間の中心距離と磁気ヘッドの直径の比が１．２：１であることを特徴とする請求項６に記載の電磁治療装置。
【請求項８】
発熱用トルマリン磁石又は金属塊は、人体のつぼの位置に従って治療用服とクッションとの間に設けられており、発熱用トルマリン磁石又は金属塊上には、円弧形の突出部が形成されていることを特徴とする請求項７に記載の電磁治療装置。
【請求項９】
治療用服は、寝袋式構造又は分離式構造を有することを特徴とする請求項８に記載の電磁治療装置。
【請求項１０】
分離式構造を有する治療用服は、耳、鼻及び口の開口が形成された頭カバーと、体カバーと、四肢カバーとを含み、頭カバー、体カバー及び四肢カバーの開口には、防水密閉構造が設けられ、頭カバー、体カバー及び四肢カバーはそれぞれ、治療用液体容器に連結されていることを特徴とする請求項９に記載の電磁治療装置。
【請求項１１】
治療用ベッドの上表面には、一個以上のトルマリン磁石又は岩塩接着片が配列されていることを特徴とする請求項１０に記載の電磁治療装置。
【請求項１２】
治療用ベッド上には、二個以上のエマルションローラが設けられ、各エマルションローラはそれぞれ、人体の首湾曲部、腰湾曲部、脚湾曲部及び足湾曲部に対応する治療用服の所定位置に設けられ、
各エマルションローラには小型モーターが設けられ、各エマルションローラは、小型モーターの駆動により別々に回転することを特徴とする請求項１１に記載の電磁治療装置。
【請求項１３】
エマルションローラには、放射状突起部が設けられ、放射状突起部の山頂部には、岩塩顆粒が設けられ、エマルションローラ内には、金属加熱用棒が設けられ、
高周波電源が高周波誘導加熱コイル層部に高周波交流電気を提供するとき、金属塊と金属加熱用棒とが同時に発熱することを特徴とする請求項１２に記載の電磁治療装置。
【請求項１４】
電磁治療装置は、支柱と、昇降構造と、昇降装置と、上部磁気ヘッド取付け板とを含み、支柱に挿入されたフレームの昇降構造は、昇降装置の駆動により昇降運動を行い、上部磁気ヘッド取付け板は、昇降構造に連結され、上部磁気ヘッドは、上部磁気ヘッド取付け板に取り付けられることを特徴とする請求項１３に記載の電磁治療装置。
【請求項１５】
治療用液体容器内には加熱装置が設けられ、加熱装置は温度制御装置に連結されていることを特徴とする請求項１４に記載の電磁治療装置。
【請求項１６】
パソコン制御システムを更に含み、該パソコン制御システムは、回転動力装置、循環用ポンプ、小型モーター、昇降装置及び温度制御装置を制御することを特徴とする請求項１５に記載の電磁治療装置。
【考案の詳細な説明】
【技術分野】
【０００１】
本考案は、医療設備及びその治療用液体に関し、特に電磁治療装置及びその治療用液体に関する。
【背景技術】
【０００２】
中国は、最初に「磁石」を見つけた国であり、祖先は、２０００年前から磁気原理を様々な生活分野、特に医学分野に応用してきた。磁石による治療効果は、「神農本草経」及び「本草綱目」にも詳細に記載されている。現在医学の発展に伴い、磁気治療は世界各国の医学分野の重要な研究対象になっている。
【０００３】
磁気材料の種類の相違により、応用分野及び適用分野が相違になる。その中で「回転磁石」という材料の研究が注目を集めている。実験結果によると、磁気マイクロ波が人体に作用するとき、体内の電荷の平常運動状態を変えることができるが、その効果を「磁場効果」という。回転磁石材料が発した磁気マイクロ波を人体に照射することにより、病気を診断するか、或いは治療する目的を奏することができ、所定の条件下においては、癌細胞を撲滅することもできる。
【０００４】
「科技日報」の２０１１年６月９日の報道に記載された最新の研究成果によると、磁場を利用して人の血液粘度を有効に低減することができるそうである。人の血液が過度に粘稠になる場合、血圧が増加し、血管が破損し、心臓病の発作が起きる恐れがある。アメリカ物理学者組織ホームページの６月８日（北京時間）の報道によると、最近アメリカテンプル大学の物理学者は、磁場を利用して血液粘度を低減することを見付け、かつそれに関する論文を最近出版した「物理評論Ｅ集」に発表した。
【０００５】
現在、最も広く使用される、血液を稀釈する医学的方法は、アスピリンなどのような薬物を使用することであるが、それらの薬は副作用を起こす問題がある。電界又は磁場を利用して、エンジン又はパイプ内の油脂の粘度を低減する方法を考案したテンプル大学の陶栄家（音訳：Rongjia  Tao）は、そのような方法を血液の粘度を低減する分野に利用するため、大量の血液サンプルに対して実験を行った結果、磁場で人類の血液循環システム中の血液を稀釈できることを見付けた。
【０００６】
磁場によって血液の粘度を稀釈する原理は、次のとおりである。赤細胞に鉄成分が含まれているので、磁場を印加するとき、赤細胞が二極化され、かつ短鎖、線運動状態に連結される。上記短鎖が１つの赤細胞より大きく、かつ血管の中心に流れるので、赤細胞と血管壁とが摩擦する機会が少なくなる。赤細胞を連結させることにより、血液の粘度を低減し、血液の流動を向上させることができる。血液に１．３テスラの磁場を約１分ほど印加するとき、血液の粘度を２０％〜３０％ほど低減することができ、その磁場の強さは、わずか核磁気共鳴画像法の磁場の強さの程度である。磁場を撤去した場合、血管中の血液の粘度が元の粘稠状態に回復されるが、完全の回復までは数時間もかかる。陶栄家は、「適合な磁場の強さとパルス時間を選択することにより、我々は赤細胞の集合鎖（チェーン）の大きさを制御し、血液の粘度を低減することができる。磁気で血液の流動を向上させることは、有効な方法であり、制御可能な範囲内で血液の粘度を低減することができる。」と言った。上記の方法は、安全で、繰り返し使うことができる。磁場を複数回に印加することにより血液の粘度を低減し、かつ血液の粘度が低下しても赤細胞の正常の機能に影響を与えない。
【０００７】
したがって、磁気治療方法で癌又は高血液粘度などのような難治病を治療することは、医学分野の新治療方向になっている。従来の手術方法又は化学療法と比較してみると、磁気治療方法は、費用が低く、患者の苦痛を低減し、医者と患者との間の協力関係を改善し、治療効果がよい利点がある。しかし、磁気治療方法は、現在の段階で最先端多分野の技術であり、現在国内及び国外で成功した例が少なく、かつ効果のよい磁気治療装置も少ない。
【０００８】
時代の発展に伴い、磁気治療分野の応用技術は比較的に完璧な理論基礎を獲得した。出願人は、長年磁気医学及び磁気治療装置の研究及び開発をし、かつ様々な磁気治療装置を臨床に応用してきたことにより、重要な現場の研究開発情報及び経験を手に入れた。今度研究開発した電磁治療装置と従来の装置を比較してみると、本考案の電磁治療装置は、磁気治療医学分野の最新の研究成果と中医分野の優秀な治療方法とを結合し、かつ磁場の干渉を主にし、中医薬液の作用及びつぼに対する刺激を補助にする。すなわち、電磁発熱原理を採用して治療効果を最大化し、複数の効果を結合して、国内及び国外に現れたことがない、中医特性の磁気治療装置を開発した。
【考案の概要】
【考案が解決しようとする課題】
【０００９】
本考案の目的は、治療及び保健の効果のある、電磁治療装置及びその治療用液体を提供することにある。
【課題を解決するための手段】
【００１０】
上述した目的を解決するため、本考案の技術内容は、フレームと治療用ベッドを含む電磁治療装置を提供する。フレームには、軸受で取り付けた一個以上の上部磁気ヘッドが設けられ、治療用ベッド内には、一個以上の下部磁気ヘッドが設けられ、各下部磁気ヘッドには、回転動力装置が１つずつ設けられ、各下部磁気ヘッドは、回転動力装置の駆動により別々に回転することができる。下部磁気ヘッドと上部磁気ヘッドは垂直方向でそれぞれ対応し、かつ対向するように設けられている。回転動力装置の駆動により下部磁気ヘッドが回転し、該下部磁気ヘッドは、磁石作用力により対向の上部磁気ヘッドを回転させる。治療用ベッド上には治療用服が設けられ、治療用服の開口には防水密閉構造が設けられている。治療用服は、循環用ポンプを通して治療用液体容器に連結され、治療用液体容器には、治療用液体が入っている。治療用服内にはクッションが設けられ、治療用服とクッションとの間には、発熱用トルマリン磁石又は金属塊が設けられている。
【００１１】
治療用ベッド内には、高周波誘導加熱コイルが設けられ、該高周波誘導加熱コイルは、高周波電源に連結されている。
【００１２】
上部磁気ヘッドと下部磁気ヘッドはいずれも電磁石ヘッドを採用し、磁気ヘッドの周辺には冷却装置が設けられている。電磁石ヘッドが作動するときに生成する電磁波の誘導起電力は５００〜１０００ｍｖであり、周波数は８〜２０Ｈｚである。上部磁気ヘッドと下部磁気ヘッドは、二組以上の電磁石塊から組合せられ、かつ各組の電磁石塊の間には、隙間が形成されている。
【００１３】
上部磁気ヘッドと下部磁気ヘッドは、永久磁石ヘッドを採用し、上部磁気ヘッドと下部磁気ヘッドは、二組以上の永久磁石塊から組合せられ、かつ各組の永久磁石塊の間には、隙間が形成されている。
【００１４】
上部磁気ヘッドと下部磁気ヘッドの静態の磁場の強さが５０００〜８５００ガウスである。
【００１５】
下部磁気ヘッドの回転速度が５０〜６００回転／分であり、上部磁気ヘッドと下部磁気ヘッドとの間の距離が２００〜４００ｍｍである。
【００１６】
上部磁気ヘッドと下部磁気ヘッドはいずれも円盤形に形成され、各磁気ヘッドの間の中心距離と磁気ヘッドの直径の比が１．２：１である。
【００１７】
発熱用トルマリン磁石又は金属塊は、人体のつぼの位置に従って治療用服とクッションとの間に設けられており、発熱用トルマリン磁石又は金属塊上には、円弧形の突出部が形成されている。
【００１８】
治療用服は、寝袋式構造又は分離式構造を有する。
【００１９】
分離式構造を有する治療用服は、耳、鼻及び口の開口が形成された頭カバーと、体カバーと、四肢カバーとを含む。頭カバー、体カバー及び四肢カバーの開口には、防水密閉構造が設けられ、頭カバー、体カバー及び四肢カバーはそれぞれ、治療用液体容器に連結されている。
【００２０】
治療用ベッドの上表面には、一個以上のトルマリン磁石又は岩塩接着片が配列されている。
【００２１】
治療用ベッド上には、二個以上のエマルションローラが設けられ、各エマルションローラはそれぞれ、人体の首湾曲部、腰湾曲部、脚湾曲部及び足湾曲部に対応する治療用服の所定位置に設けられている。各エマルションローラには小型モーターが設けられ、各エマルションローラは、小型モーターの駆動により別々に回転する。
【００２２】
エマルションローラには、放射状突起部が設けられ、放射状突起部の山頂部には、岩塩顆粒が設けられ、エマルションローラ内には、金属加熱用棒が設けられている。高周波電源が高周波誘導加熱コイル層部に高周波交流電気を提供するとき、金属塊と金属加熱用棒とが同時に発熱する。
【００２３】
電磁治療装置は、支柱と、昇降構造と、昇降装置と、上部磁気ヘッド取付け板とを含む。支柱に挿入されたフレームの昇降構造は、昇降装置の駆動により昇降運動を行う。上部磁気ヘッド取付け板は、昇降構造に連結され、上部磁気ヘッドは、上部磁気ヘッド取付け板に取り付けられる。
【００２４】
治療用液体容器内には加熱装置が設けられ、加熱装置は温度制御装置に連結されている。
【００２５】
パソコン制御システムを更に含み、該パソコン制御システムは、回転動力装置、循環用ポンプ、小型モーター、昇降装置及び温度制御装置を制御する。
【００２６】
本考案においては、電磁治療装置の治療用液体を提供する。該治療用液体は、基礎液体と中薬添加剤を含み、基礎液体は、グリセロールとオリーブオイルを含み、グリセロールとオリーブオイルの質量比が１：１〜１：３である。
【００２７】
中薬添加剤は、当帰、紅花（ベニバナともいう）、羌活（Notopterygium  root）、藜蔓（Anredera  cordifolia）、イチイ（Taxus  cuspidata）、カワミドリ（Agastache  rugosa）及びツルマンネングサ（Sedum  sarmentosum  Bunge）のうちの一種又は多種の組合せであり、基礎液体と中薬添加剤の質量比が１０：１〜１０：１．５である。
【考案の効果】
【００２８】
１．上部磁気ヘッドと下部磁気ヘッドが電磁石ヘッドを採用するとき、磁気ヘッドの周辺には冷却装置を設ける。電磁石ヘッドが作動するときに生成する電磁波の誘導起電力は５００〜１０００ｍｖであり、周波数は８〜２０Ｈｚである。装置が永久磁石ヘッドを採用するとき、永久磁石塊との間の距離、回転速度、上部磁気ヘッドと下部磁気ヘッドの位相差（不同期の程度）を制御することにより、適合な波形、磁場の強さ及び周波数を有する動態磁場を生成することができる。
一組の上下磁気ヘッドが生成する動態磁場により、次の治療を行うことができる。
（１）胸部の治療：乳腺、呼吸システムに対する保健治療；
（２）腹部の治療：消化システム、泌尿器、生殖システムに対する保健治療；
（３）脚部の治療。
二組の上下磁気ヘッドが生成する動態磁場により、次の治療を行うことができる。
（１）胸部と腹部の同時治療：二箇所又は多個所の病症に対する治療；
（２）腹部と脚部の同時治療：二箇所又は多個所の病症に対する治療。
三組の上下磁気ヘッドが生成する動態磁場により、胸部、腹部及び脚部の病症を同時治療し、全身の病症に対する治療効率を向上させることができる。
陳列状態に配置された多組の上下磁気ヘッドを採用するとき、上下部磁気ヘッドを交替に起動することにより、患者身体のある部位の血液粘稠区域を各支流に拡散させ、血液粘稠又は血栓などのような病症を緩和することができる。
【００２９】
２．本考案の電磁治療装置の治療用ベッド上には、治療用服が設けられ、治療用服の開口には、防水密閉構造が設けられている。患者が治療用服を着た後、防水密閉構造を押すことにより、治療用服の開口を密閉させ、治療用液体が漏れることを防止することができる。治療用液体容器内には治療用液体が入っており、治療用液体は循環用ポンプを通して治療用服に連結されている。治療用服内には均等層構造が設けられ、治療用服は患者の全身を包むとともに、治療用液体を循環させる。それにより、磁石治療で血液の流動と人体の新陳代謝を加速させるとき、人体に吸収される治療用液体が病症部位に作用することを加速させることができる。
【００３０】
３．発熱用トルマリン磁石又は金属塊は、人体のつぼの位置に従って治療用服内に配置されており、発熱用トルマリン磁石又は金属塊上には、円弧形の突出部が形成されている。患者が治療用服を着るとき、円弧形の突出部が人体のつぼをマッサージすることにより、治療効果を奏することができる。発熱用トルマリン磁石は、ナノセラミック粉末と特殊な熱感応材料を混合して製造したものである。発熱用トルマリン磁石が体温の作用を受けるとき、触媒が移動することにより熱感応材料が即時に反応して熱を発し、かつその温度が４０℃まで上がることができる。熱エネルギーの増幅作用により釈放される遠赤外線マイナスイオンは、皮膚の深部まで浸透して血液の循環を促進し、細胞を生かし、身体の新陳代謝を促進し、神経システムを調節し、内分泌を生かし、鎮痛駆寒の効果を奏することができ、また関節炎、関節の痛みに対しても有効である。発熱用トルマリン磁石と皮膚が接触するときに発する熱が体のつぼを刺激するので、よりよい治療効果又は回復効果を奏することができる。
【００３１】
発熱用トルマリン磁石の代わりに金属塊を使用するとき、上部磁気ヘッドと下部磁気ヘッドが提供する動態磁場により、金属塊が誘導加熱され、その温度が約４３℃が上がるので、顕著な磁気治療効果を奏することができる。より高い温度で治療をする必要がある場合、電磁誘導発熱原理（ラジエントヒーターの作動原理と同様）を利用して、高周波電源が高周波交流電気を提供し、該高周波交流電気が螺旋状の高周波誘導加熱コイルに印加され、高周波的に変化する電磁が発生し、その磁力線が金属塊を作用するようにする。電磁誘導により金属塊内に強力な渦電流が発生する。渦電流が金属塊の抵抗を克服しながら流れるとき、電気エネルギーが熱エネルギーに変換され、発生したジョール熱が加熱用の熱源になる。その発熱量は、高周波電源のパワーを制御することで制御することができる。すなわち、金属塊の発熱温度を制御することができるので、患者の異なる病状に従ってその温度を４０〜６０℃°の間で精密に調節することができ、治療方法をより有効にすることができる。
【００３２】
４．治療用服は、寝袋式構造又は分離式構造を有する。寝袋式構造は、全身の治療方法に適合し、全身を包むことができるので、治療効果がよい。分離式構造は少なくとも、耳、鼻及び口の開口が形成された頭カバーと、体カバーと、四肢カバーとを含む。頭カバー、体カバー及び四肢カバーの開口には、防水密閉構造が設けられ、頭カバー、体カバー及び四肢カバーはそれぞれ、治療用液体容器に連結されている。分離式構造を使用するとき、患者の病症部分のみを治療用服で包むことができるので、利便性がよい。医者又は看護師が患者の需要に従って、局部又は全身の治療方法を選択することができるので、適用性がよく、科学的である。
【００３３】
５．治療用ベッドには、複数のエマルションローラが設けられている。人体構造学の原理により、エマルションローラを治療用服の首湾曲部、腰湾曲部、脚湾曲部及び足湾曲部に対応する位置に設けることができる。エマルションローラは、人体の曲線を有効に支持し、人体の骨骼又は体形を正常の姿勢に回復し、筋肉を伸ばし、血液の循環を促進することができる。各エマルションローラには、小型モーターが設けられ、各エマルションローラは、小型モーターの駆動により別々に回転することができる。エマルションローラと磁場との複合作用により、生理的に湾曲した体形を正常の姿勢に回復し、病気のある部位を有効にマッサージ及び回復させることができる。
【００３４】
６．治療用ベッドの上表面には、一個以上のトルマリン磁石又は岩塩接着片が配列されている。エマルションローラには、放射状突起部が設けられ、放射状突起部の山頂部には、岩塩顆粒が設けられ、エマルションローラ内には、金属加熱用棒が設けられている。高周波電源が高周波誘導加熱コイルに高周波交流電気を提供するとき、金属加熱用棒が発熱し、これによって加熱された岩塩は、駆寒除湿の効果を奏することができる。湿寒症のある患者は治療用服を使わず、直接治療用ベッド上に横になることができる。各患者のためにマットレスを一組ずつ用意し、毎日駆寒除湿の治療を行うことができる。また、１つの治療コースが終わるたびに岩塩を交換すると、治療効果がよりよくなる。
【００３５】
治療用液体の基礎液体は、グリセロールとオリーブオイルを含み、中薬添加剤は、粉末にして基礎液体内に添加することができる。基礎液体が人体又は病症の部位と接触するとき、グリセロールとオリーブオイルの溶解能力が強く、かつ人体に容易に吸収されるので、基礎液体が中薬添加剤を携帯して人体の循環システムに入ることができる。異なる病症に従って、基礎液体に異なる中薬添加剤を添加することができる。例えば、糖尿病、高血圧、高脂血症の患者に対しては、藜蔓（Anredera  cordifolia）の治療用液体を採用し、悪性腫瘍の患者に対しては、イチイ（Taxus  cuspidata）の治療用液体を採用し、リウマチ痛の患者に対しては、カワミドリ（Agastache  rugosa）の治療用液体を採用し、疲労を解散するためには、ツルマンネングサ（Sedum  sarmentosum  Bunge）の治療用液体を採用することができるので、利便性がよく、適用性がよい。医者又は看護師は、患者の異なる病症に従って、異なる段階の用薬方法又は薬を使用する時間を決めることができ、かつ治療用液体容器内に設けられた加熱装置と温度制御装置で、治療用液体の温度を精密に制御することにより、薬物の効果を最大にすることができる。
【００３６】
本考案は、中国医学と西洋医学を結合したものであり、パソコン制御システムで各部品を統一的に制御することができる。すなわち、各患者の異なる病症に従って、磁気ヘッドの回転速度、昇降装置の高さ、エマルションローラの回転速度などを制御することができるので、治療効果をより科学的にすることができる。西洋医学の磁気を利用して人体を照射することで、癌を治療予防し、血液を稀釈する効果を奏し、新陳代謝を加速させるとき、かつ中医の治療方法を結合することにより、患者の痛感を緩め、総合効果をよくし、業界に普及させることができる。
【図面の簡単な説明】
【００３７】
【図１】本考案の構造を示す図である。
【図２】図１のＡ方向に沿う構造を示す図である。
【図３】上部磁気ヘッドの構造を示す図である。
【図４】図３のＢ方向に沿う構造を示す図である。
【図５】金属塊（又は発熱用トルマリン磁石）の構造を示す図である。
【図６】図５のＣ―Ｃ断面線に沿う構造を示す図である。
【図７】治療用ベッドの上表面の構造を示す図である。
【図８】高周波誘導加熱コイルのコイル構造を示す図である。
【図９】エマルションローラの構造を示す図である。
【図１０】図９のＤ方向の構造を示す図である。
【図１１】本考案の第二実施例の構造を示す図である。
【図１２】図１１のＥ方向の構造を示す図である。
【図１３】上下部磁気ヘッドの間の磁力線の分布を示す図である。
【図１４】上下部磁気ヘッドの間の静態の磁場の強さを示す図である。
【図１５】上下部磁気ヘッドの間のある点の磁場の強さが上下部磁気ヘッドの間の距離の変化により変化することを示す曲線図である。
【図１６】上下部磁気ヘッドの間のある点の磁場の強さが時間に従って変化することを示す曲線図である。
【考案を実施するための形態】
【００３８】
以下、図面と具体的な実施方式を参照しながら本考案をより詳細に説明する。
【００３９】
（実施例１）
図１に示すとおり、本考案の電磁治療装置において、支柱２に挿入されたフレームの昇降構造１は、昇降装置の駆動により昇降運動を行い、該昇降装置は、昇降用モーター又はエアーシリンダーなどである。昇降構造１には、上部磁気ヘッド取付け板１４が連結されており、３つの上部磁気ヘッド１３は、軸受により上部磁気ヘッド取付け板１４に取り付けられている。前記上部磁気ヘッド１３の下には、治療用ベッド４が設けられている。図２に示すとおり、治療用ベッド４内には、３つの下部磁気ヘッド５と、各下部磁気ヘッドとセットになった回転動力装置（回転動力装置は小型モーターである、図示せず）とが設けられている。各下部磁気ヘッド５は、回転動力装置の駆動により別々に回転することができる。下部磁気ヘッド５と上部磁気ヘッド１３は、垂直方向でそれぞれ対応し、かつ対向するように設けられている。回転動力装置の駆動により下部磁気ヘッド５が回転し、下部磁気ヘッド５は、磁石作用力により対向の上部磁気ヘッド１３を回転させる。下部磁気ヘッドと上部磁気ヘッドとの間の磁力線の分布は、図１３と図１４に示すとおりである。
【００４０】
上部磁気ヘッドと下部磁気ヘッドの静態の磁場の強さは３０００ガウスである。下部磁気ヘッド５の回転速度は５０回転／分であり、上部磁気ヘッドと下部磁気ヘッドとの間の距離は２００ｍｍである。図１５は、上部磁気ヘッドと下部磁気ヘッドとの間のある点の磁場の強さが、上部磁気ヘッドと下部磁気ヘッドとの間の距離の変化により変化することを示す曲線図である。図に示すとおり、上部磁気ヘッドと下部磁気ヘッドとの間の距離が遠くなればなるほど、磁場の強さが弱くなる。上部磁気ヘッドと下部磁気ヘッドは、いずれも円盤形に形成され、各磁気ヘッドの間の中心距離と磁気ヘッドの直径の比が１．２：１である。
【００４１】
図３と図４に示すとおり、上部磁気ヘッドと下部磁気ヘッドは、永久磁石ヘッドを採用し、上部磁気ヘッドと下部磁気ヘッド内の永久磁石ヘッドは、二組以上の永久磁石塊１５から組合せられ、かつ各組の永久磁石塊１５の間には、隙間が形成されている。磁気ヘッドが回転するとき、位相の差異（すなわち、上部磁気ヘッドと下部磁気ヘッドが回転するときに同期性が異なること）により、上部磁気ヘッドと下部磁気ヘッドの磁場の重畳が変化し、治療効果のあるパルス効果が発生する。図１６に示すとおり、上部磁気ヘッドと下部磁気ヘッドとの間のある点の磁場の強さがパルス波のように時間に従って変化することにより、人体の磁場を干渉し、病気を治療する。
【００４２】
各磁石塊の配列は、需要する動態の磁場の波形、振幅、周波数に基づいて計算する。計算結果に従って配列した磁石構造に対して、実際のテスト及び標準波形の照会を行い、各検査から異常が出ない場合、各磁石塊を組み立てる。そのような方法で選択した動態の磁場のパラメーター（波形、誘導起電力、周波数、毎回の治療時間、治療周期）は、人体の生物電流を増強し、赤血球の酸素運搬能力、流動速度及び範囲を改善することができる。したがって、人体の新陳代謝能力を向上させ、悪性腫瘍を含む様々な慢性疾病を治療・回復させる効果を奏する。
【００４３】
三組の上部磁気ヘッド及び下部磁気ヘッドがそれぞれ、人体の胸部、腹部及び脚部を輻射するようにし、かつ患者の様々な病症部位に基づいて、異なる上部磁気ヘッド及び下部磁気ヘッドを回転させることにより、磁気治療効果及び回復効果を奏する。
【００４４】
治療用ベッド４上には、治療用服１２が設けられ、該治療用服１２は、寝袋式構造を有している。寝袋の一側には、患者が入出するための防水チェックが設けられている。治療用服１２の頭部には、耳鼻咽喉を露出させる開口が形成され、耳鼻咽喉用開口には、防水密閉構造が設けられている。患者が治療用服１２に入って、耳鼻咽喉を開口の位置に合わせた後、防水密閉構造をロックして、治療用液体が漏れることを防止することができる。
【００４５】
図１、図５及び図６に示すとおり、治療用服１２内には、クッションが設けられ、治療用服１２とクッションとの間には、発熱用トルマリン磁石１１が設けられている。発熱用トルマリン磁石１１は、人体のつぼの位置に従って治療用服１２内に配列され、発熱用トルマリン磁石１１上には、円弧形の突出部１６が形成されている。発熱用トルマリン磁石１１は、皮膚が接触し、水を浴びるとき、発熱しながらつぼを刺激するので、よりよい治療及び快復保健の効果を奏することができる。
【００４６】
治療用服１２は、循環用ポンプ９に連結され、治療用液体容器８内には、治療用液体が入っている。治療用液体は、循環用ポンプ９の作用により、治療用服１２内に設けられた均等層構造に流入することができる。治療用服１２は、患者の全身を包むとともに、治療用液体を循環させることにより、磁石治療で血液の流動と人体の新陳代謝を加速させるとき、人体に吸収された治療用液体が病症部位に作用することを加速させることができる。治療用液体容器８内には加熱装置が設けられ、加熱装置は温度制御装置に連結されている。加熱装置は、事前に治療用液体を所定の温度、例えば４０〜６０℃°の間まで加熱することができる。循環用ポンプ９で加熱された治療用液体を治療用服１２内に注入することにより、治療用液体の効果を更に向上させることができる。
【００４７】
治療用液体の主な材料として、基礎液体と中薬添加剤を含む。基礎液体は、グリセロールとオリーブオイルを含み、グリセロールとオリーブオイルの質量比が１：１である。異なる病症を有している患者に対しては、患者の病症に合う様々な薬物を入れて、補助治療を行うことができる。中薬添加剤は、当帰、紅花（ベニバナともいう）、羌活（Notopterygium  root）、藜蔓（Anredera  cordifolia）、イチイ（Taxus  cuspidata）、カワミドリ（Agastache  rugosa）及びツルマンネングサ（Sedum  sarmentosum  Bunge）のうちの一種又は多種の組合せである。基礎液体と中薬添加剤の質量比が１０：１である。
【００４８】
図７に示すとおり、治療用ベッド４の上表面には、トルマリン磁石１７が配列され、治療用ベッド４には、エマルションローラ１０が設けられている。エマルションローラ１０は、人体の首湾曲部、腰湾曲部、脚湾曲部及び足湾曲部に対応する治療用服１２の所定位置に設けられている。各エマルションローラ１０には、小型モーターが設けられ、各エマルションローラ１０は、小型モーターの駆動により別々に回転することができるので、マッサージの効果を奏することができる。図９及び図１０に示すとおり、エマルションローラ１０には、放射状突起部１９が設けられ、放射状突起部１９の山頂部には、岩塩顆粒２１が設けられ、エマルションローラ１０内には、金属加熱用棒２０が設けられている。図８に示すとおり、治療用ベッド４内には、高周波誘導加熱コイル層部６が設けられ、層部６内には、螺旋状に配列された高周波誘導加熱コイル１８が設けられている。高周波電源７が高周波交流電気を提供するとき、金属加熱用棒２０が電磁誘導効果により発熱し、これによって加熱される岩塩は、駆寒除湿の効果を奏することができる。湿寒症のある患者は治療用服１２を使わず、直接治療用ベッド４上に横になることができる。各患者のためにマットレスを一組ずつ用意し、毎日駆寒除湿の治療を行うことができる。１つの治療コースが終わるたびに岩塩を交換すると、治療効果がよりよくなる。
【００４９】
本考案を使用するとき、パソコン制御システム３で回転動力装置、循環用ポンプ９、小型モーター、昇降装置及び温度制御装置を制御する。すなわち、各患者の異なる状況により、磁石ヘッドの回転速度、昇降構造１の高さ、エマルションローラ１０の回転速度及び治療用液体の加熱温度などを設定して、治療効果をより科学的にする。また、患者の需要により、治療用服１２内の治療用液体に入れる添加物を選択するか、或いは直接治療用ベッド４上に横になることができる。上部磁気ヘッド及び下部磁気ヘッドの回転を利用した治療方法は、利便性がよく、簡単で、操作が容易で、痛感がない。
【００５０】
（実施例２）
図１１及び図１２に示すとおり、上部磁気ヘッドと下部磁気ヘッドは、いずれも電磁石ヘッドを採用し、磁気ヘッドの周辺には、冷却装置が設けられている。電磁石ヘッドが作動するときに生成する電磁波の誘導起電力は５００ｍｖであり、周波数は８Ｈｚである。下部磁気ヘッド２５と上部磁気ヘッド２２の位置は、互いに対向するように設けられている。回転動力装置の駆動により下部磁気ヘッド２５が回転し、下部磁気ヘッド２５は、磁石作用力により対向の上部磁気ヘッド２２を回転させる。上部磁気ヘッドと下部磁気ヘッドの静態の磁場の強さは８５００ガウスであり、下部磁気ヘッド２５の回転速度は６００回転／分である。上述した構造により、良好な磁気治療効果を得ることができ、かつ異なる位置の上部磁気ヘッドと下部磁気ヘッドを交替に起動することにより、患者身体のある部位の血液粘稠区域を各支流に拡散させ、その部位の病症を緩和することができる。
【００５１】
治療用服１２は、分離式構造を採用し、耳、鼻及び口の開口が形成された頭カバーと、体カバーと、四肢カバーとを含む。頭カバー、体カバー及び四肢カバーの開口には、防水密閉構造が設けられ、頭カバー、体カバー及び四肢カバーはそれぞれ、治療用液体容器８に連結されている。この場合、患者の需要に従って局部又は全身の治療方法を選択することができるので、適用性がよく、科学的である。
【００５２】
治療用ベッド４の上表面には、トルマリン磁石の代わりに設けた岩塩接着片２４が配列され、治療用服１２内には、発熱用トルマリン磁石１１の代わりに設けた金属塊２３が固定されている。金属塊２３と発熱用トルマリン磁石１１の構造が同様であり、金属塊２３は、人体のつぼの位置に従って治療用服１２内に配列され、金属塊２３上には、円弧形の突出部１６が形成されている。図８に示すとおり、治療用ベッド４内には、高周波誘導加熱コイル層部６が設けられ、層部６内には、螺旋状に配列された高周波誘導加熱コイル１８が設けられている。高周波電源７が高周波交流電気を提供するとき、電磁誘導効果（ラジエントヒーターの作動原理と同様）により高周波誘導加熱コイル１８が発熱する。すなわち、高周波電源７が高周波交流電気を提供するとき、高周波交流電気が螺旋状の高周波誘導加熱コイル１８に印加され、高周波的に変化する電磁が発生し、その磁力線が金属塊２３に作用する。電磁誘導により金属塊２３内に強力な渦電流が発生する。渦電流が金属塊２３の抵抗を克服しながら流れるとき、電気エネルギーが熱エネルギーに変更され、発生したジョール熱が加熱用の熱源になる。その発熱量は、高周波電源７のパワーを制御することで制御することができる。すなわち、金属塊２３の発熱温度を制御することができるので、患者の異なる病状に従ってその温度を４０〜６０℃°の間で精密に調節することができ、治療方法をより有効にすることができる。
【００５３】
本実施例の治療用液体において、グリセロールとオリーブオイルの質量比が１：２であり、基礎液体と中薬添加剤の質量比が１０：１.２である。
【００５４】
本実施例の他の構造と実施例１の構造が同様であるので、ここでは再び説明しない。
【００５５】
（実施例３）
図１１及び図１２に示すとおり、上部磁気ヘッドと下部磁気ヘッドはいずれも電磁石ヘッドを採用し、かつその数量が１０個である。電磁石ヘッドが作動するときに生成する電磁波の誘導起電力は１０００ｍｖであり、周波数は２０Ｈｚである。上部磁気ヘッドと下部磁気ヘッドの静態の磁場の強さは８５００ガウスであり、下部磁気ヘッド２５の回転速度は４３０回転／分である。上部磁気ヘッドと下部磁気ヘッドとの間の距離は３５０ｍｍである。
【００５６】
本実施例の治療用液体において、グリセロールとオリーブオイルの質量比が１：３であり、基礎液体と中薬添加剤の質量比が１０：１.５である。
【００５７】
本実施例の他の構造と実施例１の構造が同様であるので、ここでは再び説明しない。
【００５８】
（実施例４）
上部磁気ヘッドと下部磁気ヘッドはいずれも電磁石ヘッドを採用し、かつその数量が１０個である。電磁石ヘッドが作動するときに生成する電磁波の誘導起電力は２０００ｍｖであり、周波数は３０Ｈｚである。上部磁気ヘッドと下部磁気ヘッドの静態の磁場の強さは６５００ガウスであり、下部磁気ヘッド２５の回転速度は５６０回転／分である。上部磁気ヘッドと下部磁気ヘッドとの間の距離は４００ｍｍである。
【００５９】
本実施例の他の構造と実施例１の構造が同様であるので、ここでは再び説明しない。
【００６０】
以上、本考案の実施例を詳述してきたが、実施例はこの考案の例示にしか過ぎないものであるため、この考案は実施例の構成にのみ限定されるものではなく、この考案の要旨を逸脱しない範囲の設計の変更等があっても、当然この考案に含まれる。
【符号の説明】
【００６１】
１  昇降構造
２  支柱
３  パソコン制御システム
４  治療用ベッド
５  下部磁気ヘッド
６  高周波誘導加熱コイル層部
７  高周波電源
８  治療用液体容器
９  循環用ポンプ
１０  エマルションローラ
１１  発熱用トルマリン磁石
１２  治療用服
１３  上部磁気ヘッド
１４  上部磁気ヘッド取付け板
１５  永久磁石塊
１６  円弧形の突出部
１７  トルマリン磁石
１８  高周波誘導加熱コイル
１９  放射状突起部
２０  金属加熱用棒
２１  岩塩顆粒
２２  上部磁気ヘッド
２３  金属塊
２４  岩塩接着片
２５  下部磁気ヘッド
【図１】
0003194190.tif 000003
【図２】
0003194190.tif 000004
【図３】
0003194190.tif 000005
【図４】
0003194190.tif 000006
【図５】
0003194190.tif 000007
【図６】
0003194190.tif 000008
【図７】
0003194190.tif 000009
【図８】
0003194190.tif 000010
【図９】
0003194190.tif 000011
【図１０】
0003194190.tif 000012
【図１１】
0003194190.tif 000013
【図１２】
0003194190.tif 000014
【図１３】
0003194190.tif 000015
【図１４】
0003194190.tif 000016
【図１５】
0003194190.tif 000017
【図１６】
0003194190.tif 000018